(57)【要約】【課題】回線交換式で通信される音声パケットやパケット交換式で通信されるデータパケットにより、新しく無線ネットワークに接続しようとする電子装置の接続遅延が防止でき、かつリアルタイムに通知する必要のある通信内容を遅滞なく通知することが可能な、無線ネットワークに接続可能な電子装置を提供する。【解決手段】無線ネットワークを介して他の電子装置との、データの送受信をパケット交換式のＡＣＬパケットで行い、音声の送受信を回線交換式のＳＣＯパケットで行う通信手段を有する電子装置で、通信手段は、音声の送受信時に、ＡＣＬデータパケットでは使用し、かつＳＣＯパケットでは未使用であるとするＦＬＯＷ，ＳＥＱＮ，ＡＲＱＮの各フィールドを、他の電子装置とのメッセージデータのやり取りに使用する。【選択図】図３
2005167751.tif 000002
【特許請求の範囲】
【請求項１】
無線ネットワークを介して他の電子装置との、データの送受信をパケット交換式のデータパケットで行い、音声の送受信を回線交換式の音声パケットで行う通信手段を有する電子装置において、
前記通信手段は、前記音声の送受信時に、前記データパケットでは使用され、かつ前記音声パケットでは未使用であるフィールドを、前記他の電子装置とのメッセージデータのやり取りに使用することを特徴とする無線ネットワークに接続可能な電子装置。
【請求項２】
前記メッセージデータは、送信電力制御のメッセージとすることを特徴とする請求項１記載の無線ネットワークに接続可能な電子装置。
【請求項３】
前記メッセージデータは、ポーリング要求メッセージとすることを特徴とする請求項１または２に記載の無線ネットワークに接続可能な電子装置。
【請求項４】
前記メッセージデータは、音声パケットの受信エラーの状態とすることを特徴とする請求項１から３のいずれかの項に記載の無線ネットワークに接続可能な電子装置。
【発明の詳細な説明】
【技術分野】
【０００１】
本発明は、時分割スロットでパケット交換式によりデータ通信や、回線交換式により音声通信を行う、無線ネットワークに接続可能な電子装置に関する。
【背景技術】
【０００２】
近年、無線ネットワークはさまざまな規格が標準化され、さまざまな用途を持つ装置が同じ規格の無線ネットワークに接続されるようになってきた。例えば、ブルートゥース（Ｂｌｕｅｔｏｏｔｈ（商標））は、コンピュータのみならず、プリンタ、スキャナなどのコンピュータ周辺機器や、ファクシミリ装置、オーディオ装置、コードレス電話機などの電子装置まで接続を可能とした仕様となっている。
【０００３】
無線ネットワークは、無線電波を媒体として通信を行っているので、同時に複数の装置が送信を行うと、お互いの送信データの衝突が発生し、通信ができない。従って、ブルートゥースでは、送信するタイミングをスロットとして時分割し、それぞれの電子装置に割り当てることで、送受信データが衝突しないようにしている。
【０００４】
このような従来の無線ネットワークに接続可能な電子装置の一例であるコードレス電話機での通信手順を図５に基づいて説明する。
【０００５】
図５は、コードレス電話機の親機１台と子機Ａ，Ｂの２台で通話をしているところへ新しく接続する子機Ｃが接続する場合において、通話中の子機が干渉を検知して親機へ干渉回避要求をするまでの手順を示した図である。
【０００６】
コードレス電話機の親機とそれぞれの子機はブルートゥースの手順で接続している。ブルートゥースでは、音声データを音声パケットであるＳＣＯパケットとよばれる６４Ｋｂｐｓの回線交換型の通信リンクを用いて通信を行う。
【０００７】
まず、図５のＴ２０のタイミングにおいては、子機Ａ，Ｂの２台が親機を介して公衆回線網を経由して通話相手と会話中である。新しく接続しようとする子機Ｃからの「問い合わせ」については、ピコネットとよばれる無線ネットワークとは同期が確立していないため、親機が応答していないという状態である。
【０００８】
親機からの音声は６スロット毎に回線交換式で通信されるＳＣＯパケットで各子機Ａ，Ｂへ送信され、各子機Ａ，Ｂは、同様に音声データを６スロット毎にＳＣＯパケットで親機へ返信している。
【０００９】
また、親機から各子機Ａ，Ｂに向けてのＰＯＬＬ（ポーリング）パケット「Ｐ」は、ＳＣＯパケットの空いたスロットを利用してパケット交換式で送信される。図５の例では、ポーリングパケットを受信した子機Ａ，Ｂは、パケット交換式でＮＵＬＬパケットを返信しているため、他の空きスロットは無い状態である。
【００１０】
Ｔ２１のタイミングで、子機Ａが他の電子装置からの無線電波の干渉を検知した場合、子機Ａは、次に親機からＰＯＬＬパケットが送られた際にそのＰＯＬＬパケットに対する返信で周波数ホッピングのパターンの変更を親機へ要求するように準備する。
【００１１】
Ｔ２２のタイミングで、新しく無線ネットワークの親機に接続しようとする子機Ｃからの「問い合わせ」を検知し、親機が「問い合わせ応答」を返信する。その後は、Ｔ２３の
タイミングで、子機ＣからのＦＨＳパケットに対し親機がＦＨＳ応答のパケットを返信し、Ｔ２４のタイミングで子機ＣのＰＯＬＬパケットに対し親機がＮＵＬＬパケットを返信し、Ｔ２５のタイミングで子機Ｃのコネクション要求に対し親機のコネクション応答を返信し、Ｔ２６のタイミングで子機Ｃからの接続要求に対して親機からの接続応答を返信して、子機Ｃは親機との通信リンクを接続することができる。
【００１２】
その間、親機と子機Ａおよび子機Ｂは、周期的に音声データであるＳＣＯパケットの通信が行われているため、子機Ａおよび子機ＢへのＰＯＬＬパケットの送信ができない。ようやくＴ２７で親機から子機ＡへＰＯＬＬパケットが送られ、子機ＡはそのＰＯＬＬパケットに対する返信で同一周波数を使用している他の電子装置の存在を親機へ通知し、周波数ホッピングのパターンの変更を親機へ要求する。
【００１３】
このように、Ｔ２１のタイミングで発生した干渉に対して、子機Ａは、干渉回避要求を親機へ送信したくても、親機からのポーリングであるＰＯＬＬパケットが送信されるＴ２７のタイミングまで、待たされることになる。
【００１４】
特許文献１の無線交換システムにおいては、主装置と無線専用電話機が時分割スロットで通信を行う場合、伝送フレームを情報通信フレームと制御通信フレームと切り分けて伝送することで、情報通信中（会話中）に制御データを送っても情報通信（通話）が妨げられないということが記載されている。
【特許文献１】特開平８−３１６９０３号公報
【発明の開示】
【発明が解決しようとする課題】
【００１５】
しかし、無線ネットワークに接続される従来の電子装置においては、回線交換式で音声データである音声パケットで通信し、その空いたスロットでポーリングなどのパケット交換式のデータパケットが通信を行っていると、通信相手へ緊急に通知したい事象が発生した場合に、その通知が遅れるという問題がある。
【００１６】
また、特許文献１の無線交換システムにおいても、情報通信フレームと制御通信フレームと切り分けて伝送しただけであるので、複数の無線専用電話機が主装置と接続した場合、伝送フレームにより空きスロットが無くなると同様の問題が発生すると想定される。
【００１７】
そこで、本発明は、回線交換式で通信される音声パケットやパケット交換式で通信されるデータパケットにより、新しく無線ネットワークに接続しようとする電子装置の接続遅延が防止でき、かつリアルタイムに通知する必要のある通信内容を遅滞なく通知することが可能な、無線ネットワークに接続可能な電子装置を提供することを目的とする。
【課題を解決するための手段】
【００１８】
本発明は、無線ネットワークを介して時分割スロットで、パケット交換式によりデータの送受信を行うデータパケットと、回線交換式により周期的に音声を送受信する音声パケットとを送受信する通信手段を有する電子装置において、前記通信手段は、前記データパケットでは使用され、前記音声パケットでは未使用であるフィールドに、通信メッセージを前記フィールドに割り当て、前記音声パケットとして通信することを特徴とする無線ネットワークに接続可能な電子装置としたものである。
【発明の効果】
【００１９】
以上のように本発明の無線ネットワークに接続可能な電子装置は、無線ネットワークを介して他の電子装置との、データの送受信をパケット交換式のデータパケットで行い、音声の送受信を回線交換式の音声パケットで行う通信手段を有し、通信手段は、音声の送受
信時に、データパケットでは使用され、かつ音声パケットでは未使用であるフィールドを、他の電子装置とのメッセージデータのやり取りに使用することにより、回線交換式に周期的に送受信される音声パケットにより空きのスロットがない場合においても、データパケットで送受信していたメッセージデータを、メッセージデータを音声パケットに付加して通信することができる。よって、パケット交換式で送受信が行われるデータパケットの通信を省略することができ、空きスロットを確保することができる。また、緊急を要する制御用メッセージでも音声パケットで送信することができるので、リアルタイムに通信相手へ通知することができる。そして、新しく無線ネットワークに接続しようとする電子装置があっても迅速に接続することが可能である。
【００２０】
また、通信メッセージを送信電力制御のメッセージとすることで、無線電波の電界強度が弱く、受信したパケットのエラーが多発したが、音声パケットにより空きスロットが確保できない場合においても、音声パケットに送信電力制御メッセージを付加することにより、リアルタイムに通知相手へ送信電力制御の依頼を行うことができる。
【００２１】
また、通信メッセージをポーリング要求メッセージとすることで、音声パケットにより空きスロットが確保できない場合においても、通信相手へポーリングパケットなどの要求ができる。
【００２２】
また、通信メッセージを音声パケットの受信エラーの状態とすることにより、通信相手が受信エラーに対する処置を図ったりすることができる。
【発明を実施するための最良の形態】
【００２３】
本発明は、周期的に送受信する必要のある音声パケットにより、新しく接続しようとする電子装置の接続が遅れることが防止でき、リアルタイムに通知する必要のある通信内容を遅滞なく通知するという目的を、パケット交換式のデータパケットでは使用され、回線交換式の音声パケットでは未使用であるフィールドを、他の電子装置とのメッセージデータのやり取りに使用し、音声パケットとして通信することにより実現した。
【００２４】
第１の発明は、無線ネットワークを介して他の電子装置との、データの送受信をパケット交換式のデータパケットで行い、音声の送受信を回線交換式の音声パケットで行う通信手段を有する電子装置において、通信手段は、音声の送受信時に、データパケットでは使用され、かつ音声パケットでは未使用であるフィールドを、他の電子装置とのメッセージデータのやり取りに使用するものであり、音声パケットにおいて使用しないフィールドを他の電子装置とのメッセージデータのやり取りに使用することで、周期的に送受信される音声パケットにより空きのスロットがない場合においても、データパケットで送受信していたメッセージデータを音声パケットに付加して通信することができる。
【００２５】
第２の発明は、メッセージデータは、送信電力制御のメッセージとしたものであり、送信電力制御のメッセージをメッセージデータとすることで、周期的に送受信される音声パケットにより空きのスロットがない場合においても、音声パケットに電力制御用メッセージを付加して通信することができる。
【００２６】
第３の発明は、メッセージデータは、ポーリング要求メッセージとしたものであり、ポーリング要求メッセージをメッセージデータとすることにより、周期的に送受信される音声パケットにより空きのスロットがない場合においても、他の電子装置へポーリング要求メッセージを付加して通信することができる。
【００２７】
第４の発明は、メッセージデータは、音声パケットの受信エラーの状態としたものであり、音声パケットの受信エラーの状態をメッセージデータとすることにより、周期的に送
受信される音声パケットにより空きのスロットがない場合においても、受信したパケットのエラー発生状態を付加して通信することができる。
【００２８】
（実施の形態１）
以下、図面に基づいて本発明の実施の形態について説明する。
【００２９】
図１は、本発明の実施の形態に係る無線ネットワークに接続可能な電子装置の一例であるコードレス電話機の子機が無線ネットワークに接続している図である。
【００３０】
図１に示すように、無線ネットワーク１には、コードレス電話機の親機２を中心として、コードレス電話機の子機３、ＰＤＡ（Personal Digital Assistant）４、通信機能を有するデジタルカメラ５が接続できる範囲内にいる。これら各端末と親機２はブルートゥースの仕様に準拠した方式で通信し、無線ネットワーク１はブルートゥース仕様の中のピコネットとよばれる無線ネットワークである。
【００３１】
親機２は、有線で公衆回線網６に接続されており、公衆回線網６を介して通話することができる。また、親機２は、ＬＡＮ（Local Area Network）７経由でインターネットと接続されており、ＰＤＡ４がホームページやメールサーバにアクセスしたり、デジタルカメラ５が画像をインターネットへ送信したりすることが可能である。図１では複数の子機３の中の子機３ａ，３ｂが親機２と接続しており、これら子機３ａ，３ｂが２台で通話をしているところへ子機３ｃが接続しようとしている状態である。
【００３２】
図２は、本発明の実施の形態に係る無線ネットワークに接続可能な電子装置の一例であるコードレス電話機の子機の構成図である。以下、図２に基づいて子機３の構成を図２に基づいて説明する。
【００３３】
図２において、子機３は、無線部１０と、アンテナ１１と、同期相関器１２と、受信パケット処理部１３と、通信制御部１４と、スピーチデコーダ１５と、スピーカ１６と、マイク１７と、スピーチエンコーダ１８と、送信パケット処理部１９と、電源制御部２０とを備えている。
【００３４】
無線部１０は、子機３の筐体外部に突出して取り付けられたアンテナ１１から受信した無線電波を復調したり、アンテナ１１へ送信する無線電波を変調したりして、無線ネットワークに接続した電子装置と通信を行う。この無線部１０は、ＩＳＭ（Industry Science
Medical）バンドとよばれる、２．４０２ＧＨｚから２．４８０ＭＨｚまでの周波数帯域を使用して２値周波数変調方式（Binary Frequency Shift Keying）で変調、復調して同期相関器に出力する。
【００３５】
同期相関器１２は、ブルートゥースに準拠したパケットの先頭部分であるアクセスコードにより、子機３が接続する無線ネットワーク内のパケットであるか否かを判断する。また、アクセスコードを構成するプリアンブル、シンクワード、トレーラなどで発生した同期エラーを検出して通信制御部１４へ通知する。
【００３６】
また同期相関器１２は、アクセスコードにより受信したパケットが、子機３が接続する無線ネットワークのパケットであると判定すると、パケットを受信パケット処理部１３へ出力する。
【００３７】
受信パケット処理部１３は、音声パケット処理部２５と、スピーチバッファ２６と、データパケット処理部２７と、データバッファ２８を備えている。
【００３８】
この受信パケット処理部１３は、受信したパケットの中間部分であるパケットヘッダの内容で、音声データであるＳＣＯパケットであれば音声パケット処理部２５にてパケットの最終部であるペイロードに格納される音声データをスピーチバッファ２６へ出力して格納する。また受信パケット処理部１３は、パケットヘッダとペイロードの各部分に格納される誤り検出符号からエラーのチェックを行い、パケットヘッダエラーまたはペイロードエラーを検出すると、通信制御部１４へ通知する。
【００３９】
また、受信したパケットが、パケット交換式でデータの通信用に使用されるＡＣＬパケットであればデータパケット処理部２７にてパケットの最終部であるペイロードに格納されるデータをデータバッファ２８へ出力して格納する。
【００４０】
スピーチデコーダ１５は、スピーチバッファ２６に格納されたデジタルデータである音声データをデコードしてアナログに変換しスピーカ１６にて音声として出力する。
【００４１】
通信制御部１４は、時分割スロットでデータをパケットとして送受信するタイミング等を、無線部１０、同期相関器１２、受信パケット処理部１３、送信パケット処理部１９へ通知し制御している。また、通信制御部１４は、受信したパケットが音声データのパケットであるＳＣＯパケットである場合には音声パケット処理部２５より、パケットの中間部であるパケットヘッダの中の制御用メッセージが格納されているビットを読み込み、その内容に応じた処理を行う。
【００４２】
また、通信制御部１４は、送り出すべき情報がある場合は送信パケット生成部３１を制御して、パケットヘッダの中の制御用メッセージのビットに送り出す情報をセットする。
【００４３】
ここで、通信制御部１４によるパケットヘッダのフォーマットと制御用メッセージについて図３に基づいて説明する。図３は、本発明の実施の形態に係る無線ネットワークに接続可能な電子装置に使用されるパケットを説明する図であり、（ａ）はブルートゥースに使用されるパケットフォーマットを示す図であり、（ｂ）は制御用メッセージを説明する図である。
【００４４】
図３（ａ）に示すように、パケットは、先頭部であるアクセスコードと、中間部であるパケットヘッダと、最終部であるペイロードの基本的には３つから構成されている。
【００４５】
アクセスコードにはパケットの送信先を示す基本となる情報が格納される同期確立用フィールドである。パケットヘッダは通信を行う際の通信制御用フィールドであり、ペイロードは電子装置間で使用されるユーザデータが格納されるデータフィールドである。
【００４６】
次に、パケットヘッダの内容をブルートゥースの仕様に準じて詳細に説明する。パケットヘッダは、ＡＭ＿ＡＤＤＲと、ＴＹＰＥと、ＦＬＯＷと、ＡＲＱＮと、ＳＥＱＮと、ＨＥＣから構成される。
【００４７】
ＡＭ＿ＡＤＤＲは、３ビットで構成され、アクティブメンバーアドレスとよばれるピコネット内での相手先電子装置を特定するための識別子を格納するフィールドである。
【００４８】
ＴＹＰＥは、４ビットで構成され、そのパケットが音声データを乗せたＳＣＯパケットであるか、音声以外のデータ（制御用情報等）を乗せたＡＣＬパケットであるかを定義するパケットタイプ種別フィールドである。
【００４９】
ＦＬＯＷは、１ビットで構成され、送受信されるパケットのフロー制御に用いられる。つまり、受信用のデータバッファ２８が全て使用しておりフルである場合には、ＦＬＯＷ
を「０」を設定してパケットを返信することで、通信相手に対しパケットの送信を一時的に停止することを要求することができる。なお、ＳＣＯパケットの場合は、周期的にパケットの送受信を行う手順としているので、スピーチバッファ２６は空き領域を確保している。従って通常はこのＦＬＯＷを使用しない。すなわちＳＣＯパケットの場合は送信時はＦＬＯＷに「０」をセットし、受信側ではこれは無視される。
【００５０】
ＡＲＱＮは、１ビットで構成され、受信したパケットにエラーが発生していたかを、パケット送信元へ通知するフィールドである。パケット送信元の電子装置は、このフィールドにより再送する等の制御を行う。なお、音声データの送受信に使用されるＳＣＯパケットでは、再送はしないので、ＡＲＱＮは使用されない。すなわちＳＣＯパケットの場合はＡＲＱＮに送信時で「０」をセットし、受信側では無視される。
【００５１】
ＳＥＱＮは、１ビットで構成され、再送されたパケットが重複することを避けるための管理用フィールドである。パケットを送信する電子装置は、再送する度にＳＥＱＮをトグルさせて送信する。ＳＣＯパケットでは再送はしないので、ＳＥＱＮは使用されず、ＡＲＱＮと同様に送信時は「０」をセットし、受信側では無視される。
【００５２】
ＨＥＣは、８ビットで構成され、ＡＭ＿ＡＤＤＲと、ＴＹＰＥと、ＦＬＯＷと、ＡＲＱＮと、ＳＥＱＮとの合計１０ビットに対する誤り検出符号を格納するフィールドである。このように、ブルートゥースのパケットヘッダは規定されている。
【００５３】
本実施の形態では、音声データを送受信するＳＣＯパケットでは通常は未使用である制御用フィールド［ＦＬＯＷ，ＳＥＱＮ］を、通信相手とのメッセージデータのやり取り、または送信電力アップ・ダウンの依頼、ポーリングの要求／応答に使用している。
【００５４】
図３（ｂ）に示すように、ＳＣＯパケットにおいてパケットヘッダの制御用フィールドである［ＦＬＯＷ，ＳＥＱＮ］が［０，０］の場合は、通知内容であるメッセージがないことを意味する（従来のパケットと同じ）。子機から親機へ送られる場合、および親機から子機へ送られる場合も同じ意味とする。
【００５５】
またＳＣＯパケットにおいて［ＦＬＯＷ，ＳＥＱＮ］が［０，１］の場合は、通信相手へ無線電波の送信電力アップの依頼を示すものとする。これは、データ通信用ＡＣＬパケットにおけるLMP_incr_power_reqやLMP_max_powerと同等の内容としても良い。
【００５６】
またＳＣＯパケットにおいて［ＦＬＯＷ，ＳＥＱＮ］が［１，０］の場合は、通信相手へ無線電波の送信電力をダウンさせる依頼を示すものとする。これは、データ通信用ＡＣＬパケットにおけるLMP_decr_power_reqやLMP_min_powerと同等の内容としても良い。
【００５７】
またＳＣＯパケットにおいて［ＦＬＯＷ，ＳＥＱＮ］が［１，１］は、子機から親機へ送信する場合には、子機がポーリングであるＰＯＬＬパケットの送信要求を示し、親機から子機へ送信する場合には親機がＰＯＬＬパケットに対してポーリング応答の要求を示すものとする。
【００５８】
このように、ＳＣＯパケットにおいても、送信電力のアップ・ダウンやポーリング要求などの制御用メッセージの通知に使用することで、たとえ空きスロットがない場合でもリアルタイムに近い状態で、無線ネットワークを介して電子装置間での通信が可能となる。
【００５９】
また、［ＡＲＱＮ］は、データ通信ＡＣＬパケットにおいてエラーの発生の有無を示すフィールドであるが、図３（ｃ）に示すように、ＳＣＯパケットでも、受信したパケットにエラーの発生の有無を示すフィールドとして使用する。こうすることにより、ＳＣＯパ
ケットにおいても、受信したパケットのエラー発生の状況を送信相手へ通知することで、無線電波の電界強度を強くするために、送信電力のアップを行ったり、操作者に対しての警告をしたり、統計情報として蓄積したりすることができる。
【００６０】
図２に戻って、マイク１７から入力されたアナログ信号である音声は、スピーチエンコーダ１８によりデジタルデータに変換され送信パケット処理部１９へ入力される。
【００６１】
送信パケット処理部１９は、スピーチバッファ３０と、送信パケット生成部３１と、データバッファ３２とを備えている。
【００６２】
スピーチエンコーダ１８によりデジタルデータとして変換された音声データは、スピーチバッファ３０へ格納される。
【００６３】
送信パケット生成部３１は、スピーチバッファ３０に格納された音声データをＳＣＯパケットとして生成し通信制御部１４の制御により無線部１０よりアンテナ１１を介して送信される。また、送信パケット生成部３１は、通信制御部１４により生成されデータバッファ３２に格納されているデータを読み出してパケット化することによりＡＣＬパケットを生成し、ＳＣＯパケット同様、無線部１０からアンテナ１１を介して送信される。
【００６４】
電源制御部２０は、通信制御部１４から送信電力の供給のアップとダウンの指示があると、無線部１０に対して、指示に応じて電源の供給を制御する。
【００６５】
これらの、受信パケット処理部１３、通信制御部１４、送信パケット処理部１９、電源制御部２０、スピーチデコーダ１５、スピーチエンコーダ１８などは、ゲートアレイや、ＭＰＵ（Micro Processing Unit）、制御プログラムを格納したＲＯＭ（Read Only Memory）、プログラムが読み書きに使用するＲＡＭ（Random Access Memory）により構成することが可能である。
【００６６】
また、スピーチバッファ２６，３０や、データバッファ２８，３２は、書き換え可能なＳＲＡＭ（Static Random Access Memory）や、ＤＲＡＭ（Dynamic Random Access Memory）などが使用できる。
【００６７】
以上のように構成される本発明の実施の形態に係る無線ネットワークに接続可能な電子装置の動作を図１および図４に基づいて説明する。図４は、本発明の実施の形態に係るコードレス電話機の親機２が１台と子機３ａ，３ｂが２台で通話をしているところへ新しく子機３ｃが接続する場合に、通話中の子機ａが干渉を検知して親機へ干渉回避要求をするまでの手順を示した図である。
【００６８】
コードレス電話機の親機２とそれぞれの子機３ａ，３ｂ，３ｃはブルートゥースの手順で接続している。
【００６９】
まず、図４においては、子機３ａ，３ｂの２台が親機２を介して公衆回線網６を経由して通話相手と会話中である。新しく接続しようとする子機３ｃからの問い合わせについては、ピコネットとよばれる無線ネットワーク１とは同期が確立していないため、親機２が応答していないという状態である。
【００７０】
例えば親機２から子機３ａへ送信されるＳＣＯパケットは、子機３ａの無線部１０により復調され、同期相関器１２で、子機３ａが接続している無線ネットワーク内のパケットであることを判別すると、受信パケット処理部１３へパケットを出力する。受信パケット処理部１３で、ＳＣＯパケットとの判別により音声パケット処理部２５がＳＣＯパケット
のペイロードに格納された音声データをスピーチバッファ２６へ格納され、スピーチバッファ２６から読み出された音声データは、スピーチデコーダ１５を介してスピーカ１６から音声として出力される。
【００７１】
子機３ａの通信制御部１４は、音声パケット処理部２５からパケットヘッダの通信制御フィールドを読み出し、ＦＬＯＷ，ＳＥＱＮ，ＡＲＱＮの各フィールドの通信内容を解析する。全フィールドが［０］であれば、通常のＳＣＯパケットとして通信を継続する。
【００７２】
子機３ａから音声データであるＳＣＯパケットを送信する場合は、マイク１７から入力されたスピーチエンコーダ１８にてデジタルデータに変換され音声データとなってスピーチバッファ３０へ格納される。そして送信パケット生成部３１がスピーチバッファ３０から音声データを入力しＳＣＯパケットとして無線部１０へ出力され、親機２へ送信される。親機２から子機３ｂへ送信されるＳＣＯパケットも同様に子機３ｂにて処理され、子機３ｂよりＳＣＯパケットが親機２へ送信される。
【００７３】
このようにして、親機２からの「音声」は６スロット毎にＳＣＯパケットで子機３ａ，３ｂへ送信され、子機３ａ，３ｂは、同様に「音声」を６スロット毎にＳＣＯパケットで親機２へ返信している。
【００７４】
前述のように図４においては、子機３ａ，３ｂの２台が親機２を介して公衆回線網６を経由して通話相手と会話中であり、新しく子機３ｃが接続しようとしている。図４に示すＴ１においては、新しく無線ネットワークの親機３ｃと接続するために、子機３ｃが「問い合わせ」のパケットを送信しているが、親機２と同期確立していないため、子機３ｃは親機と接続できない状態である。
【００７５】
Ｔ２のタイミングで子機３ｃからの「問い合わせ」を親機２が検知し、親機２が「問い合わせ応答」を返信する。その後は、Ｔ３のタイミングで、子機３ｃからのＦＨＳパケットに対しＦＨＳ応答のパケットを返信し、Ｔ４のタイミングで子機３ｃからのポーリングパケット（ＰＯＬＬパケット）に対し親機２のＮＵＬＬパケットを返信し、Ｔ５のタイミングで子機３ｃからのコネクション要求に対し親機２のコネクション応答を返信し、Ｔ６のタイミングで子機３ｃからの接続要求に対して親機２からの接続応答を返信して、子機３ｃは親機２との通信リンクを接続することができる。
【００７６】
次に、通話中の子機が他の電子装置からの無線電波の干渉を受けた場合について説明する。子機３ｃと親機２との間でＦＨＳパケットとＦＨＳ応答のパケット送受信（Ｔ３）がなされた後のＴ７のタイミングで、例えば子機３ａの通信制御部１４が他の電子装置からの無線電波の干渉を検知した場合、子機３ａは次に音声データの送信タイミングである６スロット後のＴ８のタイミングで、ＳＣＯパケットのパケットヘッダの［ＦＬＯＷ，ＳＥＱＮ］によってポーリング要求を行う。すなわち、Ｔ８で送るＳＣＯパケットのパケットヘッダの［ＦＬＯＷ，ＳＥＱＮ］を［１，１］として通信制御部１４が送信パケット処理部１９へ通知し、送信パケット処理部１９がパケットを生成して無線部１０、アンテナ１１を介して親機２へ送信する。
【００７７】
次の親機２と子機３ａの音声データの通信であるＴ９のタイミングで、親機２から［ＦＬＯＷ，ＳＥＱＮ］を［１，１］としてＳＣＯパケットが送信され、音声パケット処理部２５からパケットヘッダの制御用メッセージが通信制御部１４へ読み込まれてそこで解析され、ポーリング応答要求として認識される。そして次の親機からのＰＯＬＬパケットに対して返されるポーリング応答パケットの中に依頼内容（ここでは干渉回避要求）を入れて返信することが予定される。
【００７８】
Ｔ１０のタイミングで、親機２は子機３ａへＰＯＬＬパケットを送信する。子機３ａはこのＰＯＬＬパケットを受けた次のタイミングで親機２へポーリング応答パケットを返信し、このポーリング応答パケットの中に干渉回避要求を乗せて送信する。このようにして、音声パケットであるＳＣＯパケットが周期的に送受信されているような状態においても、ＳＣＯパケットに制御用メッセージを乗せて送信することにより親機２にＰＯＬＬパケットを送らせることができ、干渉回避要求等の内容を早期に親機へ送ることができる。
【００７９】
以上は、制御用メッセージとしてポーリング要求およびポーリング応答要求であったが、同様にしてＳＣＯパケットのパケットヘッダの［ＦＬＯＷ，ＳＥＱＮ］に［０，１］をセットして親機２が子機３へ送信した場合では、子機３の通信制御部１４が、無線電波の送信電力アップを依頼されていることを解析し、電源制御部２０へ送信電力のアップを指示する。電源制御部２０は無線部１０への送信電力の供給を上げることで、送信電力のアップを行うことができる。
【００８０】
また、［ＦＬＯＷ，ＳＥＱＮ］に［１，０］の場合には、通信制御部１４が電源制御部２０へ送信電力のダウンを指示し、電源制御部２０が無線部１０への送信電力の供給を下げることで、送信電力のダウンを行うことができる。
【００８１】
また、同期相関器１２で検出された同期エラー、受信パケット処理部１３で検出されたパケットヘッダエラーまたはペイロードエラーが通知された通信制御部１４は、次に送信するＳＣＯパケットのパケットヘッダの［ＡＲＱＮ］に［１］をセットするよう送信パケット生成部３１に指示することで、親機１に対し前回送信した音声パケットであるＳＣＯパケットにエラーが発生したことを知ることで、送信電力のアップをはかる等の対処を行うことができる。
【産業上の利用可能性】
【００８２】
パケット交換式のデータパケットでは使用され、回線交換式の音声パケットでは未使用であるフィールドに、通信メッセージをフィールドに割り当て、音声パケットとして通信することで、緊急を要する制御用メッセージでも音声パケットで送信することができるので、リアルタイムに通信相手へ通知することが必要な用途にも適用できる。
【図面の簡単な説明】
【００８３】
【図１】本発明の実施の形態に係る無線ネットワークに接続可能な電子装置の一例であるコードレス電話機の子機が無線ネットワークに接続している図
【図２】本発明の実施の形態に係る無線ネットワークに接続可能な電子装置の一例であるコードレス電話機の子機の構成図
【図３】本発明の実施の形態に係る無線ネットワークに接続可能な電子装置に使用されるパケットを説明する図であり、（ａ）ブルートゥースに使用されるパケットフォーマットを示す図、（ｂ）制御用メッセージを説明する図、（ｃ）ＳＣＯパケットを説明する図
【図４】本発明の実施の形態に係る親機と子機との通信において、子機が干渉を検知して親機へ干渉回避要求をするまでの手順を示した図
【図５】従来のコードレス電話機の親機と子機との通信において、子機が干渉を検知して親機へ干渉回避要求をするまでの手順を示した図
【符号の説明】
【００８４】
１    無線ネットワーク
２    親機
３，３ａ，３ｂ，３ｃ    子機
４    ＰＤＡ
５    デジタルカメラ
６    公衆回線網
７    ＬＡＮ
１０    無線部
１１    アンテナ
１２    同期相関器
１３    受信パケット処理部
１４    通信制御部
１５    スピーチデコーダ
１６    スピーカ
１７    マイク
１８    スピーチエンコーダ
１９    送信パケット処理部
２０    電源制御部
【図１】
2005167751.tif 000003
【図２】
2005167751.tif 000004
【図３】
2005167751.tif 000005
【図４】
2005167751.tif 000006
【図５】
2005167751.tif 000007